【手続補正書】
【提出日】平成24年1月30日(2012.1.30)
【手続補正１】
【補正対象書類名】明細書
【補正対象項目名】発明の名称
【補正方法】変更
【補正の内容】
【発明の名称】伝送システムおよび伝送システムに用いる装置
【手続補正２】
【補正対象書類名】明細書
【補正対象項目名】００１４
【補正方法】変更
【補正の内容】
【００１４】
上記目的を達成するため、本発明では、ディジタル変調方式を使用して送信機から受信機へ伝送対象となる信号を伝送する伝送装置を多段接続した伝送システムにおいて、次のような構成とした。
すなわち、最終段以外の各段の伝送装置の受信機では、受信状態取得手段が当該各段の伝送装置の送信機から受信された信号の受信状態に関する情報を取得し、信号生成手段が前記受信状態取得手段により取得された受信状態に関する情報と固有な識別情報を対応させて前記信号に含めた信号を生成し、信号出力手段が前記信号生成手段により生成された信号を次段の伝送装置へ出力する。
最終段の伝送装置の受信機では、受信状態取得手段が当該最終段の伝送装置の送信機から受信された信号の受信状態に関する情報を取得し、信号生成手段が前記受信状態取得手段により取得された受信状態に関する情報と固有な識別情報を対応させて前記信号に含めた信号を生成する。なお、必要であれば、最終段の伝送装置の受信機に、前記信号生成手段により生成された信号を外部（例えば、外部の装置）へ出力する信号出力手段を備える。
または、ディジタル変調方式を使用して送信機から受信機へ伝送対象となる信号を伝送する伝送装置を多段接続し、最終段以外の各段の伝送装置の受信機は、当該各段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段と、前記信号生成手段により生成された信号を次段の伝送装置へ出力する信号出力手段を備え、最終段の伝送装置の受信機は、当該最終段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段を備えた伝送システムにおいて、前記最終段の伝送装置の受信機の信号生成手段により生成された信号に基づいて各段の伝送装置における受信状態に関する情報を１画面を複数に分割して各段毎に表示する受信状態表示手段と、受信状態が所定の条件に基づいて悪いと判定した場合にその旨を示す情報を該当する段に対応した分割画面に表示する警告表示手段を設けた、ことを特徴とする伝送システムに用いる装置である。
【手続補正３】
【補正対象書類名】明細書
【補正対象項目名】００１８
【補正方法】変更
【補正の内容】
【００１８】
また、１画面を複数に分割する場合における当該分割の数としては、種々な数が用いられてもよい。
また、例えば、１画面を全ての段数と同数だけ分割して一度に全ての段の受信状態に関する情報を１画面で表示する構成とすることが好ましいが、他の構成例として、例えば、段数が多いような場合には、１画面を一部の段数（全ての段数より少ない数）と同数だけ分割して、表示対象とする段を自動的に又は手動で何回か切り替えることによって、全ての段の受信状態に関する情報を表示するような構成が用いられてもよい。
また、受信状態に関する情報を表示する方法としては、種々なものが用いられてもよく、例えば、数値を用いて表示する方法や、図形やグラフなどを用いて表示する方法などを用いることができる。
または、上記の伝送システムに用いる装置において、前記受信状態表示手段の１画面を全ての段数と同数だけ分割して一度に全ての段の受信状態に関する情報を１画面で表示する構成とすることと、前記受信状態表示手段の１画面を全ての段数より少ない数だけ分割して、表示対象とする段を自動的に又は手動で何回か切り替えることによって、全ての段の受信状態に関する情報を表示するような構成とすることと、との少なくとも一方の構成の表示とすることを特徴とする伝送システムに用いる装置である。
【手続補正４】
【補正対象書類名】明細書
【補正対象項目名】００１９
【補正方法】変更
【補正の内容】
【００１９】
また、受信状態が悪いと判定する場合に使用される所定の条件としては、種々なものが用いられてもよく、例えば、受信状態に関する情報に基づく受信品質についての閾値を予め設定しておいて、受信品質が当該閾値より低い（又は、当該閾値以下である）場合に、受信状態が悪いと判定するような条件を用いることができる。
または、上記の伝送システムに用いる装置において、前記受信状態取得手段により取得された受信状態に関する情報に関する情報に基づく受信品質についての閾値を予め設定しておいて、受信品質が当該閾値以下である場合に、受信状態が悪いと判定するような条件を用いることを特徴とする伝送システムに用いる装置である。
また、受信状態が悪いと判定した旨を示す情報としては、種々なものが用いられてもよく、例えば、監視者（人）に対して警告をしたり注意を喚起したりするような情報を用いることができ、また、他の構成例として、表示と共に又は表示とは別に、警告音の出力などが行われてもよい。
または、上記の伝送システムに用いる装置において、受信状態が所定の条件に基づいて悪いと判定した場合にその旨を示す情報を該当する段に対応した分割画面に表示する警告表示手段の表示と共に又は表示とは別に、警告音の出力を用いることを特徴とする伝送システムに用いる装置である。
【手続補正５】
【補正対象書類名】特許請求の範囲
【補正対象項目名】全文
【補正方法】変更
【補正の内容】
【特許請求の範囲】
【請求項１】
ディジタル変調方式を使用して送信機から受信機へ伝送対象となる信号を伝送する伝送装置を多段接続した伝送システムにおいて、
最終段以外の各段の伝送装置の受信機は、当該各段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段と、前記信号生成手段により生成された信号を次段の伝送装置へ出力する信号出力手段を備え、
最終段の伝送装置の受信機は、当該最終段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段を備え、
更に、前記最終段の伝送装置の受信機の信号生成手段により生成された信号に基づいて各段の伝送装置における受信状態に関する情報を１画面を複数に分割して各段毎に表示する受信状態表示手段と、受信状態が所定の条件に基づいて悪いと判定した場合にその旨を示す情報を該当する段に対応した分割画面に表示する警告表示手段を、前記最終段の伝送装置の受信機又は当該受信機とは別の装置に設けた、
ことを特徴とする伝送システム。
【請求項２】
請求項１の伝送システムにおいて、
前記受信状態表示手段の１画面を全ての段数と同数だけ分割して一度に全ての段の受信状態に関する情報を１画面で表示する構成とすることと、
前記受信状態表示手段の１画面を全ての段数より少ない数だけ分割して、表示対象とする段を自動的に又は手動で何回か切り替えることによって、全ての段の受信状態に関する情報を表示するような構成とすることと、
との少なくとも一方の構成の表示とすることを特徴とする伝送システム。
【請求項３】
請求項１乃至請求項２の伝送システムにおいて、
前記受信状態取得手段により取得された受信状態に関する情報に関する情報に基づく受信品質についての閾値を予め設定しておいて、受信品質が当該閾値以下である場合に、受信状態が悪いと判定するような条件を用いることを特徴とする伝送システム。
【請求項４】
請求項１乃至請求項３の伝送システムにおいて、
受信状態が所定の条件に基づいて悪いと判定した場合にその旨を示す情報を該当する段に対応した分割画面に表示する警告表示手段の表示と共に又は表示とは別に、警告音の出力を用いることを特徴とする伝送システム。
【請求項５】
ディジタル変調方式を使用して送信機から受信機へ伝送対象となる信号を伝送する伝送装置を多段接続し、
最終段以外の各段の伝送装置の受信機は、当該各段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段と、前記信号生成手段により生成された信号を次段の伝送装置へ出力する信号出力手段を備え、
最終段の伝送装置の受信機は、当該最終段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段を備えた伝送システムにおいて、
前記最終段の伝送装置の受信機の信号生成手段により生成された信号に基づいて各段の伝送装置における受信状態に関する情報を１画面を複数に分割して各段毎に表示する受信状態表示手段と、受信状態が所定の条件に基づいて悪いと判定した場合にその旨を示す情報を該当する段に対応した分割画面に表示する警告表示手段を設けた、
ことを特徴とする伝送システムに用いる装置。
【請求項６】
請求項５の伝送システムに用いる装置において、
前記受信状態表示手段の１画面を全ての段数と同数だけ分割して一度に全ての段の受信状態に関する情報を１画面で表示する構成とすることと、
前記受信状態表示手段の１画面を全ての段数より少ない数だけ分割して、表示対象とする段を自動的に又は手動で何回か切り替えることによって、全ての段の受信状態に関する情報を表示するような構成とすることと、
との少なくとも一方の構成の表示とすることを特徴とする伝送システムに用いる装置。
【請求項７】
請求項５乃至請求項６の伝送システムに用いる装置において、
前記受信状態取得手段により取得された受信状態に関する情報に関する情報に基づく受信品質についての閾値を予め設定しておいて、受信品質が当該閾値以下である場合に、受信状態が悪いと判定するような条件を用いることを特徴とする伝送システムに用いる装置。
【請求項８】
請求項５乃至請求項７の伝送システムに用いる装置において、
受信状態が所定の条件に基づいて悪いと判定した場合にその旨を示す情報を該当する段に対応した分割画面に表示する警告表示手段の表示と共に又は表示とは別に、警告音の出力を用いることを特徴とする伝送システムに用いる装置。